(57)【要約】【課題】満水目盛で規定された量よりも多い水量を容器に入れ、過給水量が多い状態で湯を沸かした場合でも、湯の噴きこぼれを発生しにくくすること。【解決手段】本発明は、本体と、本体内に配され液体を収容する容器６と、容器６の開口部を覆い開閉自在な蓋体９と、容器内の液体を加熱する加熱手段１０と、を有する電気ケトルであり、本体は、本体上部前方に注ぎ口１４が形成され、蓋体９は、蓋体９上部前方に蒸気口４０が形成されると共に蓋体裏面側に容器６から発生した蒸気を取り入れる蒸気取込口４１が形成され、蒸気口４０から蒸気取込口４１との間に蒸気通路２４が形成されている構成となっている。【選択図】図１
2014014649.tif 000002
【特許請求の範囲】
【請求項１】
本体と、当該本体内に配され液体を収容する容器と、当該容器の開口部を覆い開閉自在な蓋体と、前記容器内の液体を加熱する加熱手段と、を有する電気ケトルであり、
前記本体は、当該本体上部前方に注ぎ口が形成され、
前記蓋体は、当該蓋体上部前方に蒸気口が形成されると共に蓋体裏面側に前記容器から発生した蒸気を取り入れる蒸気取込口が形成され、前記蒸気口から前記蒸気取込口との間に蒸気通路が形成されていることを特徴とする電気ケトル。
【請求項２】
請求項１に記載の電気ケトルであり、
前記蓋体を前記本体に閉じた状態では、前記本体の注ぎ口の上方に前記蓋体の蒸気口が位置することを特徴とする電気ケトル。
【請求項３】
請求項１又は２に記載の電気ケトルであり、前記蓋体の蒸気取込口は、前記本体の注ぎ口よりも上方に位置していることを特徴とする電気ケトル。
【請求項４】
請求項１〜３いずれかに記載の電気ケトルであり、
前記蓋体の裏面側にはシール部材が配されており、
前記蓋体を本体に対して閉じた状態では、前記シール部材が前記容器の開口部をシールすると共に前記容器内と前記蓋体の蒸気通路とが空間的に連通し、前記容器内の蒸気を前記蓋体の蒸気口から外部に放出できることを特徴とする電気ケトル。
【発明の詳細な説明】
【技術分野】
【０００１】
本発明は、収容液体を加熱し、器体外へ注出する電気ケトルに関するものである。
【背景技術】
【０００２】
近年、手軽にすばやくお湯が沸かせる電気ケトルが数多く製品化されており、またこの電気ケトルに関する技術も公開特許公報において数多く公開されている。
【０００３】
例えば、特許文献１には、沸騰時に発生する蒸気を排出する蒸気口を有し、更に、湯沸し後の湯を器体外へ注出する注ぎ口を蒸気口としても使用する電気ケトルが開示されている。
【０００４】
また、特許文献２には、注ぎ口にロック機構を有し、給水口を閉じる蓋体に蒸気口を設けた電気ケトルが開示されている。
【０００５】
図５は、特許文献１に記載された従来の電気ケトルを示すものである。図５の電気ケトルは、水を入れる容器ａと給水口を閉じる蓋体ｂと湯沸し後の湯を注出する注ぎ口ｃを有している。
【０００６】
また、図６は、特許文献２に記載された従来の電気ケトルを示すものである。図６に示す電気ケトルは、水を入れる容器ｄと給水口を閉じる蓋体ｅとロック機構ｆを設けた注ぎ口ｇと蓋体ｅに開口した蒸気口ｈを有している。
【先行技術文献】
【特許文献】
【０００７】
【特許文献１】特開平１０−１５７号公報
【特許文献２】特開２００９−１７２１０９号公報
【発明の概要】
【発明が解決しようとする課題】
【０００８】
しかしながら、前記従来の構成では、規定された水量（目盛りの水量）よりも多い水量で湯を沸かした時に、沸騰により上昇した湯面により注ぎ口が湯で塞がれ容器内部の圧力が上昇する。この時、上昇した容器内部の圧力により、注ぎ口近傍の湯が押し出され、注ぎ口から湯が噴きこぼれるため、ユーザが飛散った湯に触れて火傷をする危険性があるという課題を有していた。
【０００９】
本発明は、前記従来の課題を解決するもので、噴きこぼれが発生しにくい電気ケトルを提供することを目的とする。
【課題を解決するための手段】
【００１０】
本発明はこのような課題を解決するためのものであり、本体と、当該本体内に配され液体を収容する容器と、当該容器の開口部を覆い開閉自在な蓋体と、前記容器内の液体を加熱する加熱手段と、を有する電気ケトルであり、前記本体は、当該本体上部前方に注ぎ口が形成され、前記蓋体は、当該蓋体上部前方に蒸気口が形成されると共に蓋体裏面側に前記容器から発生した蒸気を取り入れる蒸気取込口が形成され、前記蒸気口から前記蒸気取込口との間に蒸気通路が形成されていることを特徴とする。
【００１１】
このため、沸騰により湯面が上昇し注ぎ口が湯で塞がれても、容器内部で発生した蒸気を蓋体の蒸気通路から排出することが可能なため、容器内部の圧力の上昇を抑えることができ、注ぎ口近傍の湯が押し出されることを回避することができる。
【発明の効果】
【００１２】
本発明の電気ケトルは、沸騰により湯面が上昇し注ぎ口が湯で塞がれても、容器内部で発生した蒸気を蓋体の蒸気通路から排出することが可能なため、容器内部の圧力の上昇を抑えることができ、注ぎ口近傍の湯が押し出されることを回避することができる。
【図面の簡単な説明】
【００１３】
【図１】本発明を適用してなる実施例装置である電気ケトルの断面図である
【図２】本実施例装置の蓋体の斜視図である
【図３】本実施例装置の蓋体の斜視図である
【図４】本実施例装置の蓋体の斜視図である
【図５】従来の電気ケトル（特許文献１に記載分）の断面図である
【図６】従来の電気ケトル（特許文献２に記載分）の断面図である
【発明を実施するための形態】
【００１４】
請求項１に記載の発明は本体と、当該本体内に配され液体を収容する容器と、当該容器の開口部を覆い開閉自在な蓋体と、前記容器内の液体を加熱する加熱手段と、を有する電気ケトルであり、前記本体は、当該本体上部前方に注ぎ口が形成され、前記蓋体は、当該蓋体上部前方に蒸気口が形成されると共に蓋体裏面側に前記容器から発生した蒸気を取り入れる蒸気取込口が形成され、前記蒸気口から前記蒸気取込口との間に蒸気通路が形成されていることを特徴とする。
【００１５】
請求項１に記載の発明によれば、注ぎ口とは別の開口穴から注ぎ口近傍に連通する蒸気通路を設けることにより、推奨する水量よりも多くの液体をユーザが容器内に注入した場合でも、蒸気口から蒸気を放出させ噴きこぼれを回避することが可能である。
【００１６】
請求項２に記載の発明は、請求項１に記載の電気ケトルであり、前記蓋体を前記本体に閉じた状態では、前記本体の注ぎ口の上方に前記蓋体の蒸気口が位置することを特徴とする。
【００１７】
このため、沸騰時のより高い湯面の波立ちにも蒸気取込口が湯で塞がれることがなく、注ぎ口が湯で塞がれた場合でも容器内部の圧力が上昇することを回避することが可能であり、その結果、注ぎ口から湯が噴きこぼれにくくすることができる。
【００１８】
請求項３に記載の発明は、請求項１又は２に記載の電気ケトルであり、前記蓋体の蒸気取込口は、前記本体の注ぎ口よりも上方に位置していることを特徴とする。
【００１９】
このため、沸騰時のより高い湯面の波立ちにも蒸気取込口が湯で塞がれることがなく、注ぎ口が湯で塞がれた場合でも容器内部の圧力が上昇することを回避することが可能であり、その結果、注ぎ口から湯が噴きこぼれにくくすることができる。
【００２０】
請求項４に記載の発明は、請求項１〜３いずれかに記載の電気ケトルであり、前記蓋体の裏面側にはシール部材が配されており、前記蓋体を本体に対して閉じた状態では、前記シール部材が前記容器の開口部をシールすると共に前記容器内と前記蓋体の蒸気通路とが空間的に連通し、前記容器内の蒸気を前記蓋体の蒸気口から外部に放出できることを特徴とする。
【００２１】
このため、蒸気口以外からの湯漏れを防止し、意図しない部位からの湯の噴きこぼれを回避することが可能である。
【００２２】
以下、本発明の実施例について、図１〜４を参照しながら説明する。なお、この実施の形態によって本発明が限定されるものではない。
【実施例】
【００２３】
図１は、本発明を適用してなる実施形態である電気ケトルの断面図を示している。
【００２４】
図１において、本実施例装置である電気ケトルは、本体２と、本体２の後方（図１紙面右側）に形成され、本体２を持ち上げるときの持ち手となる取手３とを有し、この本体２は、給電台４上に載置することが可能である。
【００２５】
ユーザが取手３を持ち上げることにより、本体２を給電台４から持ち上げ、コップ等にお湯を注ぐことが可能であり、本体２を給電台４に載置した状態では、本体２は給電台４からの電力により液体を加熱することができる。
【００２６】
本体２は、満水時の水位を表示した満水目盛５を内側面に設けた液体を収容する容器６と、容器６内に液体を注入するための開口穴としての給水口７と、容器６の上方開口部をヒンジ部８の支点軸を中心に開閉自在に覆う蓋体９と、容器６内の液体を加熱する加熱手段１０と、沸騰した液体の蒸気を検知し自動で機械的に給電を停止する例えばバイメタルスイッチからなる蒸気検知手段１１と、を有している。
【００２７】
又、本体２は、蒸気検知手段１１の給電と給電停止を切替えるスイッチに結合し本体２外面に配置した操作部１２と、給電台４の上面に配置した本体接続部１３と、本体２の上端前部側面に設けた液体を本体２外に注出するための注ぎ口１４と、注ぎ口１４と容器６間に配置し液体を本体２外に注出するときに液体内の異物を取除くためのフィルター１５とを備えている。
【００２８】
また、蓋体９は、蓋外装板１６と、蓋本体部１７と、お手入れ性と外観品位の向上を目的としたステンレス製の蓋化粧板１８と、蓋本体部１７に取付けた蓋を閉じたときに本体係合部１９に係合する蓋係合部２０を他端に有する蓋開閉操作部２１と、蓋体９を閉じたときに蓋体９と給水口７間をシールするためのゴム製のシール部材２２と、シール部材２２を固定するためのシール部材押え板２３と、蓋本体部１７とシール部材押え板２３に挟まれた空間の蒸気通路２４とから構成されている。
【００２９】
図１において、加熱手段１０の下方には受け皿２５が配置されており、受け皿２５の裏面側には、温度ヒューズ取り付け板２６により温度ヒューズ２７が接触している。
【００３０】
尚、蓋開閉操作部２１は、スプリングにより上方へ付勢されており、ユーザがこの蓋開閉操作部２１を押下することにより蓋開閉操作部２１はこのスプリングによる付勢力に反して下方に引っ込むと共に、蓋開閉操作部２１の注ぎ口１４側にある蓋係合部２０と本体係合部１９との係合が解除される。蓋体９が開いた状態でユーザが蓋体９を押下することにより、蓋体９がヒンジ部８を軸にして下方に回転し、蓋係合部２０と本体係合部１９とが係合し、蓋体９が閉まった状態となる。
【００３１】
尚、上述した蒸気検知手段１１は蒸気通路２４とは異なる蒸気通路により容器６内部と連通している。
【００３２】
以上のように構成された電気ケトルについて、以下その動作及び作用を説明する。
【００３３】
まず、ユーザが、本体２を給電台４上に設置し、蓋開閉操作部２１を押下することにより蓋体９を開放し、続いて、ユーザが、液体を給水口７から容器６内に満水目盛５の水位まで入れ、操作部１２を操作し加熱手段１０への通電が開始されることにより、加熱手段１０により液体が加熱される。このような湯沸しを行うと、沸騰した後に多量の蒸気が発生する。
【００３４】
この多量に発生した蒸気は、フィルター１５を介して本体２外に最も広く開口された注ぎ口１４から本体２外に排出されるが、沸騰に伴い容器６内の蒸気圧が上昇して蒸気通路２４からも蒸気が排出されるようになり、沸騰が継続することにより更に容器６内の蒸気圧が上昇して蒸気検知手段１１にも蒸気が浸入し、蒸気の熱により蒸気検知手段１１のバイメタルが作動し、湯面の波立ちと蒸気の排出は継続するものの蒸気圧の上昇はなくなり、沸騰後間もなく自動で給電を停止する。このような動作によりお湯を沸かすことが可能である。
【００３５】
ユーザが満水目盛５以下の水位まで液体を入れた場合にはこのように正常な沸騰を実行することが可能となる。しかしながら、ユーザが満水目盛以上に容器６内に液体を入れた場合には吹き零れが生じる可能性があり、本実施例装置はこのような吹き零れができるだけ生じないような構造となっている。以下にその構造について説明する。
【００３６】
図２は蓋体９を斜め上方から見た斜視図である。図２において、蓋体９は、例えばポリプロピレン等の樹脂からなる蓋本体部１７と、蓋本体部１７上面側に配置した例えばポリプロピレン等の樹脂からなる蓋外装板１６とを有しており、更に、この蓋外装板１６の上面側には例えばステンレスからなる蓋化粧板１８を装着している。
【００３７】
また、図２に示すように、蓋化粧板１８の蒸気口４０近傍からは、蓋外装板１６と蓋開閉操作部２１が露出している。
【００３８】
また、蓋体９の略中央には蓋開閉操作部２１が配置されており、蓋開閉操作部２１から本体２の注ぎ口１４側（図２紙面左側）には左右に蒸気口４０が形成されており、この２つの蒸気口４０から蒸気が排出される。尚、図２には図示していないが、蓋体９を本体２に閉じた状態では、蒸気口４０の前方にもフィルター１５が位置する構造となっている。
【００３９】
この蓋体９により本体２の上方開口部分を閉じた状態（蓋体９が閉まった状態）では、蒸気口４０の下方に注ぎ口１４が位置する状態となる。更に、このとき、先ほど述べたフィルター１５が注ぎ口１４から抽出される液体に混合されている不純物をろ過すると共に、蒸気口４０から出てくる蒸気に含まれている不純物もろ過する。
【００４０】
次に図３について説明する。図３は蓋体９を斜め下方から見た斜視図である。図３において、蓋体９は、例えばポリプロピレン等の樹脂からなるシール部材押え板２３を下方から蓋外装板１６に嵌め合わせ、複数のビスにより固定した構造になっている。図３において、シール部材押え板２３は、楕円形の例えばゴムパッキン等からなるシール部材２２を外周に装着しており、周囲をシール部材２２で囲まれたシール部材押え板２３を蓋本体部１７に嵌め合わせている。
【００４１】
図３に示す蓋体９が、本体２の上方開口部分を閉じた状態（所謂、蓋体９が閉まった状態）では、シール部材押え板２３とシール部材２２とは容器６内部に対して露出した状態となっている。このため、容器６内に液体を注入しこの液体を沸かすと、シール部材押え板２３と蒸気取込口４１に蒸気がつくことになる。但し、シール部材２２によりこの蒸気は容器６内からシール部材２２の外方へ漏れないようになっている。
【００４２】
図４は、図２に示す蓋体９の蓋外装板１６と蓋化粧板１８を外した状態を、斜め上方から見た部分断面斜視図である。図４において、蓋本体部１７は蒸気が通る略Ｌ字状の蒸気通路２４を左右側に有している（図２においては、図面右側のみの蒸気通路２４を図示している）。又、シール部材押え板２３の上方へ突出した略Ｌ字形状の部分に蒸気取込口４１が開口されている。
【００４３】
尚、図４では蒸気取込口４１は図面左側部分のみ明記されているが、図面右側部分にも同様に存在する。図面右側部分の蒸気取込口４１は、蒸気通路２４により隠れて見えないため明記されていない。
【００４４】
このような構造であるため、容器６内の水蒸気は、蒸気取込口４１から蒸気通路２４に入り、蒸気通路２４内の蒸気通路２４を通過した後に蒸気口４０から筐体外へ排出される。換言すれば、蒸気取込口４１から入った蒸気は、蓋外装板１６及び蓋本体部１７と、シール部材押え板２３と、の間に形成された空間（蒸気通路２４）に入った後に、蒸気口４０から筐体外へ排出される。本実施例では、この蒸気取込口４１から２つの蒸気口４０との間の蒸気が通る通路を蒸気通路２４としている。
【００４５】
本実施例装置では、このように、注ぎ口１４の他に蓋体９に蒸気通路２４を設けているため、若干上昇した容器６内の蒸気圧も蒸気通路２４を介して減圧され、容器６内の圧力が上昇することを防いでいる。又、満水目盛５を超える液体が容器６内に注がれた状態で沸騰し、注ぎ口１４にまでお湯が溜まる状態になっても、容器６内の水蒸気が蒸気通路２４を介して蒸気口４０から筐体外へ排出されるため、容器６内の圧力が上昇し注ぎ口１４に溜まった湯が押出され噴きこぼれが発生するということがなく、また、飛散により注ぎ口１４に溜まった湯は、容器６内の圧力が下降するに従い次第に容器６内に落ち、再び注ぎ口が開放され、蒸気の排出がスムーズに行われる。
【００４６】
本実施例装置では、更に以下のような効果を奏する。本実施例装置では、蒸気通路２４の出口である蒸気口４０は、注ぎ口１４近傍に配置しており、沸騰後に排出される蒸気や過給水時の噴出しによる湯の飛散は注ぎ口１４近傍以外からは排出されない。
【００４７】
又、蒸気通路２４を、蓋体９に配置することにより、蓋体９に配置しない場合と比較して容器６の水面よりも上側の空間を有効に利用することができるため、製品の高さを低くすることができる。又、蒸気取込口４１が注ぎ口１４よりも上側で、かつ、構成上可能な限り上側に設けているため、湯面の上昇時に湯の飛散により蒸気取込口４１が塞ぐことを回避することが可能な構成となっている。
【００４８】
又、蒸気通路２４は、蓋外装板１６及び蓋本体部１７と、シール部材押え板２３に挟まれた空間で構成されており、シール部材押え板２３間はシール部材２２を介して蓋本体部１７に固定されているため（シール部材押え板２３を蓋本体部１７に固定する際にシール部材押え板２３周囲のシール部材２２によりシール部材押え板２３と蓋本体部１７とが密着するため）、シール部材２２のゴム性により、複雑な形状の蒸気通路２４でも蒸気漏れの心配がなく、蓋体９に配置した蓋開閉操作部２１を除いた部分の殆どを蒸気通路２４のスペースとして確保でき、蒸気通路２４の空間を充分に大きくできる。
【００４９】
又、シール部材２２は、蓋体９を閉じた状態で給水口７と圧接され、蒸気漏れや湯漏れを防止しているため、注ぎ口近傍以外からの蒸気漏れや湯漏れが発生しない。
【００５０】
又、注ぎ口１４よりも高い位置に蒸気取込口４１を設け、蒸気口４０を蓋体９の注ぎ口１４近傍に配置することにより、沸騰時に生じる高い湯面の波立ちでも、蒸気取込口４１が湯で塞がれることがなく、注ぎ口が湯で塞がれた場合でも容器６内部の圧力が上昇することがなく、注ぎ口１４から湯が噴きこぼれにくくすることができる。
【産業上の利用可能性】
【００５１】
以上のように、本発明は、ユーザが多量の液体を容器内に注入し沸騰させた場合でも、噴きこぼれが発生しにくくすることが可能であり、蒸気口と注ぎ口を有する様々な電気ケトル、湯沸し器、ポット等に本発明を適用することが可能である。
【符号の説明】
【００５２】
２  本体
６  容器
９  蓋体
１０  加熱手段
１１  蒸気検知手段
１３  本体接続部
１４  注ぎ口
１５  フィルター
１６  蓋外装板
１７  蓋本体部
１８  蓋化粧板
１９  本体係合部
２０  蓋係合部
２１  蓋開閉操作部
２２  シール部材
２３  シール部材押え板
２４  蒸気通路
４０  蒸気口
４１  蒸気取込口
【図１】
2014014649.tif 000003
【図２】
2014014649.tif 000004
【図３】
2014014649.tif 000005
【図４】
2014014649.tif 000006
【図５】
2014014649.tif 000007
【図６】
2014014649.tif 000008